(57)【要約】【課題】ＨＤＤに格納されているナビゲーションデータ（ナビデータ）のバージョンアップを、安全で確実かつ簡単に、行なうことができるようにする。【解決手段】ナビデータのバージョンアップがあると、このナビデータを格納したバージョンアップ用ＨＤＤを作成する。ユーザＡの要求で、カーナビゲーション装置（カーナビ）で使用していたユーザ用ＨＤＤを取り外し、これとバージョンアップ用ＨＤＤとの間でナビデータのやり取りを行ない、新たなユーザ用ＨＤＤを作成してカーナビに使用する。この場合、バージョンアップ用ＨＤＤから使用していたユーザ用ＨＤＤにバージョンアップしたナビデータをダウンロードしたときには、このユーザ用ＨＤＤが新たなユーザ用ＨＤＤとなり（図２（ａ））、ユーザ用ＨＤＤからバージョンアップ用ＨＤＤにユーザデータを転送したときには、このバージョンアップ用ＨＤＤが新たなユーザ用ＨＤＤとなる（図２（ｂ））。【選択図】　　　　図２
2004053408.tif 000002
【特許請求の範囲】
【請求項１】
ナビゲーションデータを格納したユーザ用ハードディスクドライブが着脱可能に装着されたナビゲーション装置での該ナビゲーションデータのバージョンアップ方法であって、
該ナビゲーション装置から取り外した使用中のユーザ用ハードディスクドライブと予めバージョンアップされたナビゲーションデータが格納されたバージョンアップ用ハードディスクドライブとの間でデータの転送を行なって、バージョンアップされたナビゲーションデータの新たなユーザ用ハードディスクドライブを作成し、該ナビゲーション装置に装着することを特徴とするナビゲーションデータのバージョンアップ方法。
【請求項２】
請求項１において、
前記使用中のユーザ用ハードディスクドライブのナビゲーションデータは、少なくともナビゲーションのプログラム，地図データ，ユーザデータであり、かつ前記バージョンアップされたナビゲーションデータは、ユーザデータ以外の少なくともナビゲーションのプログラム，地図データであって、
前記バージョンアップ用ハードディスクドライブのバージョンアップされた該ナビゲーションのプログラムと該地図情報との少なくとも一方を前記使用中のユーザ用ハードディスクドライブに転送することにより、前記使用中のユーザ用ハードディスクドライブを前記新たなユーザ用ハードディスクドライブとすることを特徴とするナビゲーションデータのバージョンアップ方法。
【請求項３】
請求項１において、
前記使用中のユーザ用ハードディスクドライブのナビゲーションデータは、少なくともナビゲーションのプログラム，地図データ，ユーザデータであり、かつ前記バージョンアップされたナビゲーションデータは、ユーザデータ以外の少なくともナビゲーションのプログラム，地図データであって、
前記使用中のユーザ用ハードディスクドライブから該ユーザデータを前記バージョンアップ用ハードディスクドライブに転送することにより、前記バージョンアップ用ハードディスクドライブを前記新たなユーザ用ハードディスクドライブとすることを特徴とするナビゲーションデータのバージョンアップ方法。
【請求項４】
請求項３において、
前記使用中のユーザ用ハードディスクドライブを回収ハードディスクドライブとし、
該回収ハードディスクドライブにバージョンアップされたナビゲーションデータを格納することにより、前記バージョンアップ用ハードディスクドライブとして再利用することを特徴とするナビゲーションデータのバージョンアップ方法。
【請求項５】
ナビゲーションデータを格納したユーザ用ハードディスクドライブが着脱可能に装着されたナビゲーション装置での該ナビゲーションデータのバージョンアップ装置であって、
該ナビゲーション装置から取り外した使用中の該ユーザ用ハードディスクドライブの第１の収納部と、
予めバージョンアップされたナビゲーションデータが格納されたバージョンアップ用ハードディスクドライブの第２の収納部と、
該第１の収納部に収納された該使用中のユーザ用ハードディスクドライブと該第２の収納部に収納された該バージョンアップ用ハードディスクドライブとの間でのナビゲーションデータのやり取りを制御し、新たなユーザ用ハードディスクドライブを作成する制御手段と
を備え、該新たなユーザ用ハードディスクドライブを該ナビゲーション装置に装着して使用可能としたことを特徴とするナビゲーションデータのバージョンアップ装置。
【請求項６】
請求項５において、
前記使用中のユーザ用ハードディスクドライブのナビゲーションデータは、少なくともナビゲーションのプログラム，地図データ，ユーザデータであり、かつ前記バージョンアップされたナビゲーションデータは、ユーザデータ以外の少なくともナビゲーションのプログラム，地図データであって、
前記制御手段は、前記第２の収納部に収納された該バージョンアップ用ハードディスクドライブから前記バージョンアップされたナビゲーションデータを前記第１の収納部に収納された前記使用中のユーザ用ハードディスクドライブに転送制御することにより、前記使用中のユーザ用ハードディスクドライブを前記新たなユーザ用ハードディスクドライブとすることを特徴とするナビゲーションデータのバージョンアップ装置。
【請求項７】
請求項５において、
前記使用中のユーザ用ハードディスクドライブのナビゲーションデータは、少なくともナビゲーションのプログラム，地図データ，ユーザデータであり、かつ前記バージョンアップされたナビゲーションデータは、ユーザデータ以外の少なくともナビゲーションのプログラム，地図データであって、
前記制御手段は、前記第１の収納部に収納された前記使用中のユーザ用ハードディスクドライブから該ユーザデータを前記第２の収納部に収納された前記バージョンアップ用ハードディスクドライブに転送制御することにより、前記バージョンアップ用ハードディスクドライブを前記新たなユーザ用ハードディスクドライブとすることを特徴とするナビゲーションデータのバージョンアップ装置。
【請求項８】
少なくともナビゲーションのプログラム，地図データ，ユーザデータといったナビゲーションデータを格納したハードディスクドライブと外部記憶装置とが着脱可能に装着されたナビゲーション装置であって、
該ハードディスクドライブから該ユーザデータを読み出して該外部記憶装置に保存する手段と、
該ユーザデータ以外のナビゲーションデータがバージョンアップされて新たに装着されたハードディスクドライブに該外部記憶装置に保存されている該ユーザデータをロードする手段と
を設けたことを特徴とするナビゲーション装置。
【請求項９】
請求項８において、
前記ユーザ用ハードディスクドライブから前記外部記憶装置への前記ユーザデータの保存動作中、前記外部記憶装置の容量一杯まで前記ユーザデータが保存される毎に、次の前記外部記憶装置への交換を指示し、前記ユーザデータが保存された前記外部記憶装置から前記新たに装着されたユーザ用ハードディスクドライブへの前記ユーザデータのロード動作中、前記外部記憶装置夫々の前記ユーザデータのロードが終了する毎に、次の前記外部記憶装置への交換を指示する画面を表示する手段を備えたことを特徴とするナビゲーション装置。
【発明の詳細な説明】
【０００１】
【発明の属する技術分野】
本発明は、ナビゲーションのためのデータ（以下、ナビゲーションデータという）が格納されているハードディスクドライブ（ＨＤＤ）を備えた、例えば、車載用などのナビゲーション装置に係り、特に、かかるナビゲーションデータのバージョンアップ方式，装置及びナビゲーション装置に関する。
【０００２】
【従来の技術】
近年、乗用車などの車両に対してナビゲーション装置が普及している（以下では、説明の便宜上、かかる車載用のナビゲーション装置（以下、カーナビシステムという）について説明するが、後述する本発明は、車載用にのみ限られるものではない）。かかるカーナビシステムは、車両の運転室に設置され、ＧＰＳ（Ｇｌｏｂａｌ　Ｐｏｓｉｔｉｏｎｉｎｇ　Ｓｙｓｔｅｍ）などを利用してこの車両の位置（自車位置）や走行方向を表わす情報（以下、ＧＰＳ情報という）を取得し、表示画面上に地図と車両が走行する経路とを表示するとともに、この経路上に自車位置を示すカーマークを表示するものである。そして、車両の移動とともに、このカーマークが表示画面の中央部に表示されるように、表示される地図や経路がスクロールする。
【０００３】
かかる地図情報の取得方法としては、従来、かかる地図情報が格納されたＣＤ−ＲＯＭやＤＶＤなどの記録媒体が市販されており、これを購入してカーナビシステムに装着して取得する方法が一般的である。従って、高速道路や鉄道などが新設されるなど、地図の変更を要するような事態が発生した場合には、新たな地図情報が格納された記録媒体が、バージョンアップしたナビゲーションデータを有するものとして市販されることになるが、かかる記録媒体を購入して使用することにより、バージョンアップしたナビゲーションデータを使用することができることになる。
【０００４】
ところで、上記のような記録媒体としてＣＤ−ＲＯＭやＤＶＤを用いるカーナビシステムでは、かかる記録媒体の容量により格納される地図情報を地域毎に分割したり、詳細な地図情報を格納する地域を限定したりしている。そのため、自動車が記録媒体に格納されている地図の範囲外に出てしまった場合や詳細に地図を見たい場合には、使用する記録媒体を交換する必要がある。
【０００５】
これに対し、記録媒体として、ＨＤＤを用いたカーナビシステムが提案されている。このＨＤＤは、上記のＣＤ−ＲＯＭやＤＶＤといった記録媒体に比べ、記録容量が大きく、書き替え可能なため、全国の詳細な地図情報を格納することができ、地域が換わる毎に使用する記録媒体を交換する、といったような手間が省けることになる。
【０００６】
また、リライタブル（書き替え可能）といった性質も活かして、これまでよりも、複雑で高度なプログラムをかかる記録媒体に格納して動作させることができる。
【０００７】
【発明が解決しようとする課題】
しかしながら、このようなＨＤＤを備えたカーナビシステムでは、地図の変更などがあって、地図情報をバージョンアップさせた場合、ＨＤＤに格納されている地図情報をこのバージョンアップした地図情報に更新する必要がある。このようなＨＤＤでのナビゲーションデータのバージョンアップの手法として、例えば、特開２０００−３６０９７に記載のように、カーナビシステムにナビゲーションデータの提供元となるセンタとの間で双方向通信の機能を持たせ、かかるセンタからバージョンアップしたナビゲーションデータの提供を受けるようにしたものが提案されている。
【０００８】
しかし、この従来の方法によると、カーナビシステムに双方向の通信手段や提供されたナビゲーションデータの処理手段などが必要であるし、また、このような手段を使用するためには、ある程度の熟練が必要であって、かかるカーナビシステムを搭載した自動車の全てのドライバがこれを利用してＨＤＤのナビゲーションデータのバージョンアップ作業を行なえるというものではない。
【０００９】
また、上記従来の方法によると、電波の状態に左右され、確実にバージョンアップできるとは限らないという問題もある。特に、地図データなどのデータ量が多くてダウンロード時間が長い場合には、途中で通信が途切れてしまう可能性もある。
【００１０】
さらに、バージョンアップ費用のほかに、通信費が発生し、ユーザの負担も大きくなるという問題もある。
【００１１】
本発明の目的は、かかる問題を解消し、ＨＤＤに格納されているナビゲーションデータのバージョンアップを、安全で確実かつ簡単に、行なうことができるようにしたナビゲーションデータのバージョンアップ方式，装置及びカーナビゲーション装置を提供することにある。
【００１２】
【課題を解決するための手段】
上記目的を達成するために、本発明は、ナビゲーションデータを格納したユーザ用ハードディスクドライブが着脱可能にし、ナビゲーション装置から取り外した使用中のユーザ用ハードディスクドライブと予めバージョンアップされたナビゲーションデータが格納されたバージョンアップ用ハードディスクドライブとの間でデータの転送を行なって、バージョンアップされたナビゲーションデータを含め新たなユーザ用ハードディスクドライブを作成し、ナビゲーション装置に装着するようにする。
【００１３】
また、使用中のユーザ用ハードディスクドライブのナビゲーションデータは、少なくともナビゲーションのプログラム，地図データ，ユーザデータであり、かつバージョンアップされたナビゲーションデータは、ユーザデータ以外の少なくともナビゲーションのプログラム，地図データであって、バージョンアップ用ハードディスクドライブのバージョンアップされたナビゲーションのプログラムと地図情報との少なくとも一方を使用中のユーザ用ハードディスクドライブに転送することにより、使用中のユーザ用ハードディスクドライブを上記新たなユーザ用ハードディスクドライブとし、ナビゲーション装置で使用するものである。
【００１４】
また、使用中のユーザ用ハードディスクドライブのナビゲーションデータは、少なくともナビゲーションのプログラム，地図データ，ユーザデータであり、かつバージョンアップされたナビゲーションデータは、ユーザデータ以外の少なくともナビゲーションのプログラム，地図データであって、使用中のユーザ用ハードディスクドライブからユーザデータをバージョンアップ用ハードディスクドライブに転送することにより、バージョンアップ用ハードディスクドライブを上記の新たなユーザ用ハードディスクドライブとし、ナビゲーション装置で使用するものである。
【００１５】
上記目的を達成するために、本発明は、ナビゲーションデータを格納したユーザ用ハードディスクドライブが着脱可能に装着されたナビゲーション装置でのナビゲーションデータのバージョンアップ装置であって、ナビゲーション装置から取り外した使用中のユーザ用ハードディスクドライブの第１の収納部と、予めバージョンアップされたナビゲーションデータが格納されたバージョンアップ用ハードディスクドライブの第２の収納部と、第１の収納部に収納された使用中のユーザ用ハードディスクドライブと第２の収納部に収納されたバージョンアップ用ハードディスクドライブとの間でのナビゲーションデータのやり取りを制御し、新たなユーザ用ハードディスクドライブを作成する制御手段とを備え、この新たなユーザ用ハードディスクドライブをナビゲーション装置に装着して使用可能とするものである。
【００１６】
また、使用中のユーザ用ハードディスクドライブのナビゲーションデータは、少なくともナビゲーションのプログラム，地図データ，ユーザデータであり、かつバージョンアップされたナビゲーションデータは、ユーザデータ以外の少なくともナビゲーションのプログラム，地図データであって、制御手段は、第２の収納部に収納されたバージョンアップ用ハードディスクドライブからバージョンアップされたナビゲーションデータを第１の収納部に収納された使用中のユーザ用ハードディスクドライブに転送制御することにより、この使用中のユーザ用ハードディスクドライブを上記の新たなユーザ用ハードディスクドライブとするものである。
【００１７】
また、使用中のユーザ用ハードディスクドライブのナビゲーションデータは、少なくともナビゲーションのプログラム，地図データ，ユーザデータであり、かつバージョンアップされたナビゲーションデータは、ユーザデータ以外の少なくともナビゲーションのプログラム，地図データであって、制御手段は、第１の収納部に収納された使用中のユーザ用ハードディスクドライブからユーザデータを第２の収納部に収納されたバージョンアップ用ハードディスクドライブに転送制御することにより、バージョンアップ用ハードディスクドライブを上記の新たなユーザ用ハードディスクドライブとするものである。
【００１８】
上記目的を達成するために、本発明は、少なくともナビゲーションのプログラム，地図データ，ユーザデータといったナビゲーションデータを格納したユーザ用ハードディスクドライブと外部記憶装置とが着脱可能に装着されたナビゲーション装置であって、装着されているユーザ用ハードディスクドライブからユーザデータを読み出して装着されている外部記憶装置に保存する手段と、ユーザデータ以外のナビゲーションデータがバージョンアップされて新たに装着されたユーザ用ハードディスクドライブに外部記憶装置に保存されているユーザデータをロードする手段とを設けたものである。
【００１９】
【発明の実施の形態】
以下、本発明の実施形態を図面を用いて説明する。
図１は本発明によるナビゲーションデータのバージョンアップ方法の一実施形態の全体的な処理手順を示すフローチャートである。
【００２０】
この実施形態は、ナビゲーションデータのバージョンアップがあると、このバージョンアップされたナビゲーションデータのユーザのカーナビシステム（カーナビゲーション装置）へのダウンロード作業をディーラなどの作業者が仲介するものである。
【００２１】
図１において、ナビゲーションデータのバージョンアップがあると（ステップ１００）、配信者としてのサービスプロバイダＣは、このバージョンアップしたナビゲーションデータ（以下、バージョンアップデータという）をインターネットなどの回線網を介して、あるいはかかるバージョンアップデータが記憶されたＨＤＤが、郵送などにより、ディーラなどの作業者Ｂに配布される（ステップ▲１▼）。作業者Ｂは、このようにして配布されたバージョンアップデータを受けると、かかるバージョンアップデータをユーザＡのカーナビシステム（以下、カーナビシステムＡという）にダウンロードするためのダウンロード／交換用ＨＤＤを作成し、かかるカーナビシステムＡへのダウンロードのための準備をする（ステップ１０１）。そして、この準備が完了すると、作業者ＢはサービスプロバイダＣにこの旨を通知する（ステップ▲２▼）。サービスプロバイダＣは、この通知を受けると、ユーザＡへバージョンアップの案内を行なう（ステップ１０２）。以上がナビゲーションデータのバージョンアップサービスのための準備段階である。なお、ステップ１０２の案内方法としては、個々のユーザＡに電子メールや葉書，電話などで直接行なうようにしてもよいし、新聞の綴じ込みや雑誌などのマスメディアを利用するようにしてもよい（ステップ▲３▼）。
【００２２】
かかる準備が完了した後、ユーザＡはカーナビシステムを搭載した自動車を運転して最寄りなどの作業者Ｂのところへ行き（ステップ１０３，▲４▼）、このカーナビシステムＡのバージョンアップを要求すると、作業者ＢはこのカーナビシステムＡに対し、バージョンアップ作業を行なう（ステップ１０４）。この作業が完了すると（ステップ１０５）、この自動車に搭載されているカーナビシステムＡのナビゲーションデータはバーションアップされたことになり、自動車はユーザＡに返却され（ステップ▲５▼）、このカーナビシステムＡは新たなバージョンでナビゲーション動作を行なうことになる（ステップ１０６）。
【００２３】
また、作業者Ｂは、このバージョンアップ作業を完了すると（ステップ１０５）、このバージョンアップ作業をしたユーザのＩＤ（ユーザＩＤ）とバージョンアップ後のバージョン番号とをサービスプロバイダＣに通知し（ステップ▲６▼）、また、サービスプロバイダＣからバージョンアップデータをＨＤＤで配布されたものであるときには、このＨＤＤもサービスプロバイダＣに返送する（ステップ▲７▼）。この場合には、これにより、作業者Ｂの１つの作業が終了し、その後のバージョンアップのサービスは、ステップ１０１で準備したダウンロード／交換用ＨＤＤを用いる。
【００２４】
なお、サービスプロバイダＣからバージョンアップデータが、上記のように、回線網を通じて配信された場合には、ステップ▲７▼の作業はない。
【００２５】
また、ステップ１０４でのバージョンアップ作業としては、図２（ａ）に示すように、ユーザＡの自動車からカーナビシステムＡのＨＤＤ（以下、これをユーザ用ＨＤＤという）を取り外し、これに上記の準備したバージョンアップ用のＨＤＤ（以下、これをバージョンアップ用ＨＤＤという）のバージョンアップデータをコピー（転送）し、コピー（転送）が完了したユーザ用ＨＤＤを再びユーザＡの自動車のカーナビシステムに取り付けるものと、図２（ｂ）に示すように、ユーザＡの自動車からカーナビシステムのユーザ用ＨＤＤを取り外し、このユーザ用ＨＤＤでのユーザデータをバージョンアップ用ＨＤＤにコピー（転送）し、コピー（転送）が完了したバージョンアップ用ＨＤＤをユーザＡの自動車のカーナビシステムに取り付けるものとがある。図２（ａ）におけるバージョンアップ用ＨＤＤが上記のダウンロード用ＨＤＤであり、図２（ｂ）におけるバージョンアップ用ＨＤＤが上記の交換用ＨＤＤである。なお、作業者Ｂとしては、図２（ａ）に示すバージョンアップ作業と図２（ｂ）に示すバージョンアップ作業とのいずれかのみを行なうようにしてもよいし、また、ユーザの希望に応じて任意に選択することができるようにすることも可能である。この場合には、バージョンアップ用ＨＤＤは、ダウンロード用ＨＤＤとしても、また、交換用ＨＤＤとしても用いられることになる。
【００２６】
ステップ１０４でのバージョンアップ作業が、図２（ｂ）に示す交換用ＨＤＤによるものであるときには、ユーザのカーナビシステムＡから回収した古いバージョンのユーザ用ＨＤＤ（回収ＨＤＤ）は、バージョンアップデータのサービスのために再利用する（ステップ▲８▼）。即ち、まず、この回収ＨＤＤをチェックし（ステップ１０７）、再利用できないものは廃棄するが（ステップ１１４）、再利用できるものは、再利用のための準備をし（ステップ１０８）、図２（ｂ）に示すように、サービスプロバイダＣから上記のようにして（ステップ▲１▼）取得したバージョンアップデータをダウンロードして次のサービスのための交換用ＨＤＤとする（ステップ１０９）。
【００２７】
一方、サービスプロバイダＣは、作業者Ｂから通知された（ステップ▲６▼）ユーザＩＤやバージョン番号を管理し（ステップ１１０）、また、先に配布したＨＤＤが作業者Ｂから返送されてきたときには（ステップ▲７▼）、このＨＤＤをチェックし（ステップ１１１）、再利用できない場合には、廃棄するが（ステップ１１４）、再利用できる場合には、そのための準備をし（ステップ１１２）、次回のバージョンアップのイベントに使用する（ステップ１１３）。
【００２８】
このようにして、この実施形態では、ユーザＡは手間のかかるバージョンアップ作業することなく、しかも、自分の都合の良いときやついでのときに、自車のカーナビシステムＡをバージョンアップさせることが可能となる。
【００２９】
また、作業者Ｂとしては、ディーラであってもよいが、ガソリンスタンドや自動車の部品販売店などどのような業種の店舗でもよく、作業者にとっては、顧客の抱え込みや集客効果が得られることになる。さらに、サービスプロバイダ（配信者）Ｃとしても、バージョンアップの展開を迅速に行なうことができるし、バージョンアップされたデータの配信があれば、バージョンアップＣＤの作成や準備のための費用が浮くことになる。
【００３０】
次に、図１での作業者Ｂが行なうバージョンアップ作業（ステップ１０４）の具体例について説明する。
【００３１】
図３はこのバージョンアップ作業に用いられる本発明によるバージョンアップ装置の一実施形態を示す構成図であって、１は、例えば、ディスクトップ型のパソコン（以下、ＰＣと略称する）、１ａはＩ／Ｆコネクタ、２はバーションアップ装置、３，４はＨＤＤ用スロット、５，６はアクセスランプ、７，８はイジェクトボタンである。
【００３２】
同図において、バージョンアップ装置２は、ＰＣＩ（Ｐｅｒｉｐｈｅｒａｌ　Ｃｏｍｐｏｎｅｎｔ　Ｉｎｔｅｒｃｏｎｎｅｃｔ）やＡＴＡＰＩ（ＡＴ　Ａｔｔａｃｈｍｅｎｔ　Ｐａｃｋｅｔ　Ｉｎｔｅｒｆａｃｅ）といった規格のＩ／Ｆコネクタ１ａでもってＰＣ１に接続されている。バージョンアップ装置２には、ユーザ用ＨＤＤが装着されるスロット３とバージョンアップ用ＨＤＤが装着されるスロット４とが設けられ、また、これらスロット３，４毎にＨＤＤが正常に装着されたときに点灯するアクセスランプ５，６と装着されたＨＤＤを排出するためのイジェクトボタン７，８とが設けられている。
【００３３】
ＰＣ１には、バージョンアップ装置２でのダウンロード動作を行なわせるためのナビＨＤＤ書き換え専用ソフト、即ち、ダウンロード専用のソフトウェア（プログラム）がインストールされており、ユーザ用ＨＤＤ（図示せず）がスロット３に正常に装着され、また、バージョンアップ用ＨＤＤ（図示せず）がスロット４に正常に装着されている状態では（このとき、アクセスランプ５，６が点灯している）、ＰＣ１を操作することにより、このソフトウェアが稼働し、ユーザ用ＨＤＤとバージョンアップ用ＨＤＤの間でバージョンアップのためのダウンロード処理がなされる。ここで、このダウンロード処理は、図２（ａ）に示すように、バージョンアップ用ＨＤＤがダウンロード用ＨＤＤであるときには、このバージョンアップ用ＨＤＤからユーザ用ＨＤＤへバージョンアップデータのダウンロードが行なわれ、図２（ｂ）に示すように、バージョンアップ用ＨＤＤが交換用ＨＤＤであるときには、このユーザ用ＨＤＤからバージョンアップ用ＨＤＤへこのユーザ用ＨＤＤのユーザデータがダウンロードされる。
【００３４】
図４は本発明によるハードディスクナビバージョンアップ方法を用いたカーナビシステムの第１の実施形態を示すブロック構成図であって、１０はユーザ用ＨＤＤ、１１は制御部、１１ａはＣＰＵ（中央処理ユニット）、１２は入力部、１２ａはＧＰＳ（Ｇｌｏｂａｌ　Ｐｏｓｉｔｉｏｎｉｎｇ　Ｓｙｓｔｅｍ）、１２ｂは車速センサ、１２ｃは入力装置、１２ｄはジャイロ、１３は通信部、１４は音声入出力部、１５は外部記憶装置、１６はゲートアレイ、１７は表示部、１７ａは表示装置である。
【００３５】
同図において、ＣＰＵ１１ａなどからなる制御部１１の制御のもとに、ゲートアレイ１６がユーザ用ＨＤＤ１０と入力部１２と通信部１３と音声入出力部１４と外部記憶装置１５とのいずれかを選択し、制御部１１や表示部１７に接続する。ユーザ用ＨＤＤ１０には、ナビゲーションを実行させるためのソフトウェア（ナビプログラム）や地図データ，ユーザデータ，付加情報などのナビゲーションデータが格納されており、入力部１２での入力装置１２ｃの操作に基づいてユーザ用ＨＤＤ１０からかかるナビゲーションデータが読み出されて制御部１１に供給され、表示部１７の表示装置でナビゲーション画面が表示されて自動車の誘導が行なわれる。
【００３６】
ここで、ユーザ用ＨＤＤ１０から読み出されたナビプログラムは、現在位置の算出や表示，目的地までのルート探索，音声認識，合成などのナビゲーション処理を実行する。地図データは、現状のＤＶＤ（Ｄｉｇｉｔａｌ　Ｖｅｒｓａｔｉｌｅ　Ｄｉｓｃ）やＣＤ（Ｃｏｍｐａｃｔ　Ｄｉｓｃ）に格納されている地図データと同様のものである。ユーザデータは、登録地点情報や走行軌跡，音声（音楽），映像などのユーザが作成して記録したものである。かかるユーザデータは、書き換え専用のソフトウェア上では、１つの大きなドライブ（ファイルまたはフォルダ）としてしか見えないような構造にする。即ち、上記の登録地点情報や走行軌跡データ，音声（音楽）データ，映像データがまとめて１つに見えるように構造とする。また、ユーザ用ＨＤＤ１０のユーザＩＤと制御部１１のＦ−ＲＯＭに登録されているユーザＩＤとが合致しなければ、制御部１１はユーザ用ＨＤＤ１０からユーザデータを読み取れないようにする。これにより、ユーザデータのプライバシ保護や音楽（映像）の２次コピーの禁止が実現可能となる。付加情報は、例えば、作業者Ｂがディーラである場合、ユーザに通知したい情報であって、ディーラの営業日，営業時間，電話番号，担当者の氏名，顔写真，ディーラでのイベント情報や広告などである。作業者Ｂとしては、自動車用品販売業者や一般の整備工場，ガソリンスタンドなどであってもよく、これらの作業者についても、同様の付加情報をユーザＨＤＤ１０に格納するようにすることもできる。
【００３７】
かかるカーナビシステムでナビゲーションが行なわれているときには、予め自動車の出発地と目的地とが入力部１２の入力装置（リモコンやタッチパネルなど）１２ｃの操作によって設定されており、制御部１１のＣＰＵが上記のナビプログラムを実行することにより、入力部１２でのＧＰＳ１２ａからの位置情報と車速センサ１２ｂからの車速情報が夫々所定の周期で取り込まれて自動車の位置（自車位置）が検出され（車速情報を用いる場合には、ジャイロ１２ｄで検出される方位をも用いて自車位置の移動距離と移動方向を検出する）、この自車位置を含む地図データを用いて表示部１７での表示装置に自車位置を中心として地図が表示されるとともに、上記の出発地と目的地とで選択された走行経路がこの地図上に表示される。自車位置は地図上に走行経路と一致してカーマークで表示される。自動車の移動とともにＧＰＳ１２ａの位置情報や車速情報を基に自車位置が検出され、この自車位置の移動とともに、自車位置が表示装置１７ａの表示画面の中心部に表示されるように、地図と走行経路がスクロールされる。
【００３８】
また、入力部１２の入力装置を操作して交通情報などを取り込む場合には、通信部１３から交通情報などが取り込まれ、これが表示部１７の表示装置１７ａで画像表示されたり、音声入出力部１４によって音声再生される。
【００３９】
外部記憶装置１５は、ＰＣカードやスマートメディア，ＣＦ（ＣｏｍｐａｃｔＦｌａｓｈ）カード，ＣＤ−Ｒ（Ｃｏｍｐａｃｔ　Ｄｉｓｃ−Ｒｅｃｏｒｄａｂｌｅ）などの記録媒体のドライブであって、かかる記録媒体も使用して必要なデータを記憶したり、かかる記録媒体のデータを読み込むことができる。
【００４０】
図５は図１における作業者Ｂによるバージョンアップ作業（ステップ１０４）の一具体例を示すフローチャートである。以下、図３，図４をも参照してこの作業を説明する。
【００４１】
同図において、ユーザＡがその自動車を運転してきて、それに搭載されるカーナビシステムのバージョンアップを依頼すると、作業者Ｂはその自動車を受け取り、まず、この自動車内でカーナビシステムＡを動作させて、表示部１７（図４）に図６（ａ）に示すようなナビプログラムや地図データ，付加情報のバージョン番号を表わすバージョン確認画面を表示させ、それらバージョン番号を確認する（ステップ２００）。この確認を行なって「ＯＫ」ボタンをタッチ操作すると、通常のナビゲーション画面の表示に移る。このカーナビシステムＡの電源をＯＦＦにして、このカーナビシステムＡからナビゲーションのＨＤＤ、即ち、ユーザ用ＨＤＤ１０を取り外し（ステップ２０１）、書き換えツールである図３に示すバージョンアップ装置２のスロット３に差し込み、これとともに、スロット４に図示しないバージョンアップ用ＨＤＤを差し込む（ステップ２０２）。そして、ＰＣ１を操作してナビＨＤＤ書き換え専用ソフトを起動させる（ステップ２０３）。
【００４２】
専用ソフトの起動後、このソフト上で再度ユーザ用ＨＤＤ１０のナビプログラムや地図データ，付加情報のバージョン番号を確認する（ステップ２０４）。この確認後、作業者Ｂがバージョンアップ装置２でバージョンアップ処理を行なう（ステップ２０５）。かかるバージョンアップ処理は、図２（ａ）で示す方法と図２（ｂ）で示す方法とこれらの選択を可能とする方法とがある。かかるバージョンアップ処理が完了すると、ＰＣ１の表示画面に、例えば、後述する図１２で示すような更新完了画面が表示される（ステップ２０６）。
【００４３】
そこで、作業者Ｂは、これを確認してＰＣ１で作業終了の操作をし、イジェクトボタン７を操作してバージョンアップ装置２からダウンロードによってバージョンアップされたユーザ用ＨＤＤ１０をスロット３から抜き取り、もしくはイジェクトボタン８を操作してユーザ用ＨＤＤ１０のユーザデータがダウンロードされた交換用ＨＤＤをスロット４から抜き取り、ユーザＡの自動車のカーナビシステムに、その電源をＯＦＦにした状態で、取り付ける（ステップ２０７）。そして、カーナビシステムの電源をＯＮにして表示部１７の表示装置１７ａで起動画面を表示させる。この起動画面は、例えば、図６（ｂ）で示すような画面であり、これによってカーナビシステムがバージョンアップされたことを確実に確認することができる（ステップ２０８）。しかる後、カーナビシステムの電源をＯＦＦにしてユーザに自動車を返却する（ステップ２０９）。
【００４４】
次に、図７〜図１３により、図５におけるステップ２０２〜２０６で示すバージョンアップ作業をより詳細に説明する。なお、図７はこの作業の一連の手順を示すフローチャート、図８〜図１２はかかる作業の進行とともにＰＣ１（図３）に表示される画面を示す図、図１３は図７におけるステップ３１３の１具体例を示すフローチャートである。
【００４５】
図３及び図７において、バージョンアップを行なうために、ＰＣ１にバージョンアップ装置２を接続するなどしてバージョンアップ作業の準備をし、バージョンアップ装置２の電源をＯＮするなどしてバージョンアップ装置２を起動すると（ステップ３００）、まず、図８（ａ）に示す作業の標題「ナビＨＤＤ書き替えツール」を表わす起動画面Ｐ１が表示され（ステップ３０１）、次いで、図８（ｂ）に示す環境確認画面Ｐ２が表示されるとともに（ステップ３０２）、ＰＣ１にバージョンアップ装置２が正しく接続されているか否かなどの、所謂環境確認動作がＰＣ１によって実行される（ステップ３０３）。この確認の結果、ＰＣ１にバージョンアップ装置２が正しく接続されていることが判明すると、図８（ｃ）に示すように、かかる接続が正しくなされていることを○印２１で示す環境確認通知画面Ｐ３が表示される（ステップ３０５）。また、かかる接続が正しくなされていない場合には、図９（ａ）に示すように、その接続部分をＸ印２３で示す環境確認通知画面Ｐ４が表示される（ステップ３０４）。接続状態を良くするためには、一旦「終了」ボタン２２をクリックして作業を終了させて新ためてＰＣ１とバージョンアップ装置２との間の接続をし直し、起動（ステップ３００）から始めるようにする。
【００４６】
環境確認通知画面Ｐ３（図８（ｃ））が表示されている状態で、スロット３にセットしたユーザ用ＨＤＤ１０のユーザＩＤをＰＣ１で入力し、「次へ」ボタン２０をクリックすると、ＰＣ１にセット確認画面Ｐ５（図９（ｂ））が表示され、バージョンアップ装置２でのＨＤＤのセットの有無を確認する動作が行なわれる。このセット確認画面Ｐ５は、ユーザドライブ表示部２５とバージョンアップドライブ表示部２６とボタン表示部２４とからなり、この確認動作中では、ユーザドライブ表示部２５とバージョンアップドライブ表示部２６とでは、例えば、「確認中！」といったようなメッセージが表示される。ユーザドライブ表示部２５には、ユーザＩＤの表示欄２５ａが設けられているが、このときには、何も表示されていない。また、ボタン表示部２４では、「実行」ボタン２４ｂや矢印形状の転送ボタン２４ｃ〜２４ｆが表示されているが、この確認動作中では、これには機能しない。また、予想転送（ダウンロード）時間の表示欄２４ａも設けられているが、この確認動作中では、これも差動していない。
【００４７】
確認結果が得られてこの確認動作が終了すると、その確認結果に応じたセット確認通知画面がＰＣ１に表示される。即ち、バージョンアップ装置２のいずれのスロット３，４にもＨＤＤがセットされていないときには、図９（ｃ）に示すように、ユーザドライブ表示部２５とバージョンアップドライブ表示部２６とに夫々その確認結果を示す、例えば、「有りません」といったようなメッセージが表わされたセット確認通知画面Ｐ６が表示される（ステップ３０８）。また、バージョンアップ装置２のスロット４にバージョンアップ用ＨＤＤがセットされているが、スロット３には、ユーザ用ＨＤＤ１０がセットされていないときには、図１０（ａ）に示すように、ユーザドライブ表示部２５でその結果を表わす、例えば、「有りません」といったようなメッセージが表わされたセット確認通知画面Ｐ７が表示される（ステップ３０９）。この場合、バージョンアップドライブ表示部２６では、スロット４にセットされたバージョンアップ用ＨＤＤが検索され、そこからバージョンアップの対象となる全てのデータの種類とそのバージョン番号とが表示される。ここでは、バージョンアップの対象となるデータをプログラム，地図データ及び付加情報としており、従って、バージョンアップドライブ表示部２６では、これらが「プログラムエリア」，「地図データエリア」，「付加情報エリア」として表示され、かつ夫々のデータにバージョン番号Ｖｅｒ．が表示される。さらに、バージョンアップ装置２のスロット３にユーザ用ＨＤＤ１０がセットされているが、スロット４にバージョンアップ用ＨＤＤがセットされていないときには、図１０（ｂ）に示すように、バージョンアップドライブ表示部２３でその結果を表わす、例えば、「有りません」といったようなメッセージが表わされたセット確認通知画面Ｐ８が表示される。この場合、ユーザドライブ表示部２５では、スロット３にセットされたバージョンアップ用ＨＤＤが検索され、そこからバージョンアップの対象となる全てのデータの種類とその現在のバージョン番号とが表示される。ここでは、バージョンアップの対象となるデータをプログラム，地図データ及び付加情報としているから、ユーザドライブ表示部２５では、これらが「プログラムエリア」，「地図データエリア」，「付加情報エリア」として表示され、かつ夫々のデータにバジョン番号Ｖｅｒ．が表示される。また、バージョンアップ用ＨＤＤを交換用ＨＤＤとする場合もあるので、この場合にユーザ用ＨＤＤ１０から交換用ＨＤＤへの転送対象となるデータ、即ち、ユーザデータも、「ユーザデータエリア」として表示される（ステップ３１０）。
【００４８】
そして、かかるセット確認通知画面Ｐ６，Ｐ７，Ｐ８のいずれかが一定期間表示されると、図１０（ｃ）に示すように、例えば、「スロットにドライブが正しく挿入されているか確認して下さい」といったようなメッセージが示され、作業者Ｂにバージョンアップ装置２のスロット３，４でのＨＤＤのセット確認を要求するセット確認要求画面Ｐ９がＰＣ１に表示される。なお、画面Ｐ６〜Ｐ８でのボタン表示部２４の表示内容は、画面Ｐ５と同様である。また、セット確認要求画面Ｐ９の表示状態でスロット３，４に夫々ＨＤＤを正しくセットし、「了解」ボタン２７をクリックすると、これを再度確認することになり、これにより、図９（ｂ）に示すセット確認画面Ｐ５の表示状態となる。
【００４９】
このようにして、作業者Ｂにとっては、バージョンアップ作業のための準備が正しくなされているかどうか、また、正しくなければ、どの点で不備があるのかを容易にかつ確実に認識することができる。
【００５０】
バージョンアップ装置２のスロット３，４に夫々正規のＨＤＤが正しくセットされているときには（ステップ３０７）、図１１（ａ）に示すような操作画面Ｐ１０がＰＣ１に表示される（ステップ）。この操作画面Ｐ１０では、ユーザドライブ表示部２５にユーザ用ＨＤＤ１０にダウンロード可能なデータが「プログラムエリア」，「地図データエリア」，「付加情報エリア」として、夫々の現在のバージョン番号とともに、表示され、また、ユーザ用ＨＤＤ１０からバージョンアップ用ＨＤＤに転送可能なデータが「ユーザデータエリア」として表示されるし、バージョンアップドライブ表示部２６にバージョンアップ用ＨＤＤからダウンロード可能なデータが「プログラムエリア」，「地図データエリア」，「付加情報エリア」として、そのバージョン番号とともに、表示される。なお、バージョンアップドライブ表示部２６では、ユーザデータに関する「ユーザデータエリア」は表示されない。
【００５１】
また、この操作画面Ｐ１０において、ボタン表示部２４では、バージョンアップ用ＨＤＤからユーザ用ＨＤＤ１０に転送（ダウンロード）されるデータ、即ち、「プログラム」，「地図データ」，「付加情報」に対する「転送」ボタン２４ｃ，２４ｄ，２４ｆは、これらデータの転送方向を示すユーザドライブ表示部２５の方向に向いた矢印の形状で表示される。また、「ユーザデータエリア」に対する「転送」ボタン２４ｅは、このユーザデータがユーザ用ＨＤＤ１０からバージョンアップ用ＨＤＤに転送されるものであるから、バージョンアップドライブ表示部２６の方向に向いた矢印の形状で表示される。
【００５２】
また、この操作画面Ｐ１０において、現在転送できるデータに対する「転送」ボタンのみが機能する（有効となる）ようにする。この場合、有効な「転送」ボタンと有効でない「転送」ボタンとは表示方法を異ならせることにより、区別できるようにすることができるし、また、有効でない「転送」ボタンは表示しないようにすることもできる。あるいはまた、転送できるデータとその「転送」ボタンのみを操作画面Ｐ１０で表示し、転送できないデータについては、そのデータと「転送」ボタンを操作画面Ｐ１０で表示しないようにしてもよい。例えば、今回のバージョンアップでは、プログラムと地図データをバージョンアップ用ＨＤＤからユーザ用ＨＤＤ１０へダウンロードすることしかできない場合には、操作画面Ｐ１０では、「プログラムエリア」，「地図データエリア」とそれらの「転送」ボタン２４ｃ，２４ｄしか表示されないことになる。
【００５３】
また、ここでは、図２（ａ）に示すバージョンアップ作業と図２（ｂ）に示すバージョンアップ方法を、ユーザＡに要求に応じて、選択できるようにしているものであり、このために、操作画面Ｐ１０では、バージョンアップ用ＨＤＤからユーザ用ＨＤＤ１０にダウンロードするデータ（プログラム，地図データ，付加情報）とユーザ用ＨＤＤ１０からバージョンアップ用ＨＤＤに転送するデータ（ユーザデータ）とが転送可能としているものである。操作画面Ｐ１０では、「転送」ボタン２４ｃ〜２４ｆのいずれか２以上を同時に選択することができるが、矢印の向きが異なる「転送」ボタンを同時に選択することはできない。従って、「転送」ボタン２４ｃ，２４ｄ，２４ｆは同時に２以上選択することができるが、これらとは逆向きの「転送」ボタン２４ｅは他の「転送」ボタン２４ｃ，２４ｄ，２４ｆと同時に選択することができない。このことは、図２（ａ），（ｂ）に示す作業に対応するものであり、バージョンアップ用ＨＤＤをダウンロード用ＨＤＤとする図２（ａ）の作業の場合には、ユーザドライブ表示部２５側に向いた「転送」ボタン２４ｃ，２４ｄ，２４ｆを選択するものであり、バージョンアップ用ＨＤＤを交換用ＨＤＤとする図２（ｂ）の作業の場合には、バージョンアップドライブ表示部２６側に向いた「転送」ボタン２４ｅを選択するものである。
【００５４】
このように、バージョンアップ作業を図２（ａ），（ｂ）のいずれか一方に選択して行なうものであるが（ステップ３１３）、選択画面Ｐ１０でのかかる選択操作の手順を図１３により説明する。
【００５５】
まず、図２（ａ）のように、バージョンアップ用ＨＤＤをダウンロード用ＨＤＤとして用いる場合には（ステップ４００）、操作画面Ｐ１０において、全ての「転送」ボタン２４ｃ〜２４ｆが有効として、まず、「プログラムエリア」の「転送」ボタン２４ｃをクリックすると、ブログラムをダウンロードすることが選択される（ステップ４０１）。このように１つの方向、この場合、ユーザドライブ表示部２５側を向く「転送」ボタンがクリックによって選択されると、その瞬間他の向きの「転送」ボタン２４ｅは無効とされる。次に、「地図データエリア」の「転送」ボタン２４ｄがクリックされると、地図データのダウンロードも選択され（ステップ４０２）、さらに、「付加情報エリア」の「転送」ボタン２４ｆがクリックされると、付加情報のダウンロードも選択される（ステップ４０３）。このようにして、３個のデータのダウンロードを同時に要求することができる。そして、操作画面Ｐ１０での「転送実行」ボタン２４ｂをクリックすると（ステップ４０５）、図３におけるバージョンアップ装置２において、スロット４にセットされているバージョンアップ用ＨＤＤからスロット３にセットされているユーザ用ＨＤＤ１０に、上記の要求されたプログラムと地図データと付加情報とのダウンロードが行なわれる。
【００５６】
また、図２（ｂ）のように、バージョンアップ用ＨＤＤを交換用ＨＤＤとして用いる場合には（ステップ４００）、操作画面Ｐ１０において、ユーザドライブ表示部２５の「ユーザデータエリア」の「転送」ボタン２４ｅをクリックすると、ユーザデータを転送することが選択される（ステップ４０４）。なお、この瞬間他の向きの「転送」ボタン２４ｃ，２４ｄ，２４ｆは無効とされる。次に、「転送実行」ボタン２４ｂをクリックすると（ステップ４０５）、図３におけるバージョンアップ装置２において、スロット３にセットされているユーザ用ＨＤＤ１０からにスロット４にセットされているバージョンアップ用ＨＤＤへ、要求されたユーザデータの転送が行なわれる。
【００５７】
以上が図７でのステップ３１３であるが、かかる各データの転送開始とともに、操作画面Ｐ１０から、図示しないが、動作進行画面が表示される。この動作進行画面は、操作画面Ｐ１０とほど同じであるが、「実行」ボタン２４ｂの代わりに、例えば、進行バーなどの進行状況を示す表示部が表示され、また、予想される転送作業時間を示す表示欄２４ａが設けられている。
【００５８】
転送動作が終了すると、図７において、バージョンアップ用ＨＤＤ（ダウンロード用ＨＤＤ）からユーザ用ＨＤＤ１０にデータをダウンロードした場合には、図１１（ｂ）に示す確認画面Ｐ１１がＰＣ１に表示される。この確認画面Ｐ１１では、図１１（ａ）に示す操作画面とほぼ同様の表示内容であるが、「実行」ボタン２４ｂの代わりに「確認」ボタン２４ｇが表示され、また、ダウンロードに選択されたデータの「転送」ボタン２４ｃ，２４ｄ，２４ｆに「転送完了」といったメッセージが表示される。このとき、「ユーザデータエリア」に対しては、ダウンロードが行なわなかったので、「転送」ボタン２４ｅは表示されない（ステップ３１４）。
【００５９】
図７において、ユーザ用ＨＤＤ１０からバージョンアップ用ＨＤＤ（交換用ＨＤＤ）にユーザデータを転送した場合には、図１１（ｃ）に示す確認画面Ｐ１２がＰＣ１に表示される。この確認画面Ｐ１２では、図１１（ａ）に示す操作画面とほぼ同様の表示内容であるが、「実行」ボタン２４ｂの代わりに「確認」ボタン２４ｇが表示され、また、転送に選択されたユーザデータの「転送」ボタン２４ｅに「転送完了」といったメッセージが表示される。このとき、「ユーザデータエリア」以外のデータに対しては、転送が行なわなかったので、「転送」ボタン２４ｃ，２４ｄ，２４ｆは表示されない（ステップ３１４）。
【００６０】
これら確認画面Ｐ１１，Ｐ１２の内容を確認し、その「確認」ボタン２４ｇをクリックすると、図１２に示すような作業完了通知画面Ｐ１３がＰＣ１に表示される（ステップ３１５）。この作業完了通知画面Ｐ１３では、作業が完了した旨のメッセージとともに、「ＯＫ」ボタン２８と「ＥＮＤ」ボタン２９とが表示され、「ＯＫ」ボタン２８をクリックすることにより、さらにステップ３０６から他のＨＤＤについてバージョンアップ作業を行なうことができるようにし、「ＥＮＤ」ボタン２９をクリックすることにより、バージョンアップ作業を終了することができるようにする（ステップ３１６）。
【００６１】
なお、図７に示すバージョンアップ作業としては、図３に示すバージョンアップ装置２で図２（ａ）に示す作業と図２（ｂ）に示す作業とを選択可能とし、その具体例として、図７のステップ３１３が図１３に示すフローチャートからなるものとしたが、このバージョンアップ装置２が図２（ａ），（ｂ）のいずれか一方のみの作業を行なうものであってもよい。但し、バージョンアップ用ＨＤＤとしてダウンロード用ＨＤＤを用いた図２（ａ）に示す作業の場合には、図７でのステップ３１３は図１３でのステップ４００〜４０３及びステップ４０５からなり、図７のステップ３１４では、図１１（ｂ）に示す確認画面Ｐ１１が表示される。また、バージョンアップ用ＨＤＤとして交換用ＨＤＤを用いた図２（ｂ）に示す作業の場合には、図７でのステップ３１３は図１３でのステップ４００，４０４及びステップ４０５からなり、図７のステップ３１４では、図１１（ｃ）に示す確認画面Ｐ１２が表示される。
【００６２】
次に、本発明によるハードディスクナビバージョンアップ方法を用いたカーナビシステムの第２の実施形態について説明する。
【００６３】
上記第１の実施形態では、カーナビシステムが有するユーザ用ＨＤＤ１０のナビゲーションデータをバージョンアップする場合、このユーザ用ＨＤＤ１０を作業者Ｂ（図１）のバージョンアップ装置２（図３）に装着し、バージョンアップ用ＨＤＤからバージョンアップデータをダウンロード（図２（ａ）の作業）するか、このユーザ用ＨＤＤ１０からユーザデータをバージョンアップ用ＨＤＤに転送（図２（ｂ）の作業）するかしていた。
【００６４】
しかし、このようなバージョンアップ作業では、ユーザ用ＨＤＤ１０にユーザデータが格納されたままとなっており、一応の保護がなされているものの、不慮の事故により、このユーザデータが破壊されてしまう場合もあり得る。また、特に、図２（ｂ）に示されるようなバージョンアップ作業の場合、ユーザ用ＨＤＤ１０から交換用ＨＤＤへのユーザデータの転送を指示したにもかかわらず、この転送が良好に行なわれないような事態も生ずる可能性がないとはいえない。
【００６５】
この第２の実施形態のカーナビシステムは、このような事態を回避できるようにしたものであって、バージョンアップ作業を行なう前に、ユーザ用ＨＤＤ１０のユーザデータをバックアップ（データ保存）し、バージョンアップ後のユーザ用ＨＤＤ１０にこのバックアップして置いたユーザデータをロードするものである。以下、この実施形態について説明する。
【００６６】
なお、この第２の実施形態のカーナビシステムも、図４に示す構成をなすものであって、ユーザデータのバックアップ手段として外部記憶装置１５を用いるものである。従って、かかるバックアップ及びロード作業は、ユーザ用ＨＤＤ１０がカーナビシステムに装着された状態で行なわれるものであり、図１のステップ１０４の前にバックアップ作業が、ステップ１０５の後にロード作業が夫々行なわれるものである。また、これらバックアップ作業及びロード作業は、ユーザＡ自身が行なうことができるようにしてもよいし、作業者Ｂが行なうようにしてもよい。
【００６７】
図１４はこの第２の実施形態のユーザデータの上記作業の一具体例を示すフローチャートである。また、図１５はこのユーザデータのバックアップ作業の際にカーナビシステムの表示部１７の表示装置１７ａで表示される画面の一具体例を示す図であり、図１６は同じくユーザデータのユーザ用ＨＤＤ１０へのロード作業の際に表示される画面の一具体例を示す図である。
【００６８】
まず、ユーザデータのバックアップ作業について、図４，図１４及び図１５を用いて説明する。
【００６９】
カーナビシステムを起動して入力部１２の入力装置１２ｃを操作してスタートさせると（ステップ５００）、表示装置１７ａに図１５（ａ）に示すメニュー画面Ｐ２０が表示される。このメニュー画面Ｐ２０では、各種の作業のメニューが表示されており、ユーザ用ＨＤＤ１０のナビゲーションデータのバージョンアップに際して、このユーザ用ＨＤＤ１０でのユーザデータのバックアップを行ないたい場合には、メニュー「データ保存」３０をクリックすることにより、これを選択する（ステップ５０２）。これにより、ユーザデータをバックアップ可能とすることを通知する図１５（ｂ）に示すようなデータ保存画面Ｐ２１が表示装置１７ａで表示される（ステップ５０３）。
【００７０】
このデータ保存画面Ｐ２１では、ユーザデータの保存先を指定するための指定欄３１ａが表示されており、ここでバックアップに使用するための外部記録装置１５を指定することができる。一例としては、この指定欄３１ａに外部記憶装置１５として使用可能な記録媒体がリスト化されており、そのいずれかをクリックすることにより、指定することができる。この場合、外部記憶装置１５としてカーナビシステムに装着されていない記憶媒体は指定できないようにしている。ここでは、ＣＦカードが指定されたものとして説明するが、他の外部記憶装置１５が指定された場合も同様である。
【００７１】
保存先としてＣＦカードが指定されると、その記憶容量がＣＰＵ１１ａの処理によって求められ、データ保存画面Ｐ２１の容量欄３１ｂに表示される。また、制御部１１は、ユーザ用ＨＤＤ１０でのユーザデータなどのデータ量も監視しており、このデータ量のユーザデータを指定されたＣＦカードに転送するに要する時間（転送予想時間）を算出し、これをデータ保存画面Ｐ２１の予想時間欄３１ｃに表示するし、また、指定されたＣＦカードの容量とバックアップされるユーザデータのデータ量とから必要なＣＦカードの枚数を算出し、これをデータ保存画面Ｐ２１の枚数欄３１ｄに表示する。
【００７２】
ここで、このデータ保存画面Ｐ２１のかかる表示内容を確認し、「いいえ」ボタン３３をクリックすると、元のメニュー画面Ｐ２０に戻るが、「はい」ボタン３２をクリックすると、表示装置１７ａに図１５（ｃ）に示すような注意画面Ｐ２２が表示される（ステップ５０４）。この注意画面Ｐ２２では、ユーザデータのバックアップ作業に際しての、例えば、図示する内容の注意事項が表示されており、その内容を確認し、エンジンをかけたままにして注意事項に沿う状態とした後、「了解」ボタン３４をクリックすると、制御部１１の制御の基に、ユーザ用ＨＤＤ１０のナビゲーションデータのうちのユーザデータが外部記憶装置１５、即ち、ＣＦカードに転送され、これとともに、図１５（ｄ）に示すようなデータ保存画面Ｐ２３が表示装置１７ａに表示される（ステップ５０５）。
【００７３】
このデータ保存画面Ｐ２３では、データの保存中である旨を通知するメッセージとともに、記憶媒体、この場合には、ＣＦカードの現在までの使用枚数を示す枚数欄３４ａや転送の残り時間を示す残り時間欄３４ｂ，ユーザデータの転送作業の進行状況をバーの右方への移動で示すインジケータ３４ｃなどが表示されるが、さらに、現在データ保存が行なわれているＣＦカードに容量一杯データ保存がなされ、さらに、新たなＣＦカードが必要な場合には、通知欄３４ｄに、例えば、「デバイスを交換してください」といったような通知メッセージが表示される。そして、これに基づいてＣＦカードを交換すると、枚数欄３４ａに表示される使用枚数が１枚増加することになる。このＣＦカードの交換が行なわれているときには、残り時間欄３４ｂやインジケータ３４ｃの表示内容は変化しない。
【００７４】
その後、ユーザ用ＨＤＤ１０内のユーザデータのＣＦカードへの転送が終了すると、図示しないが、データ保存画面Ｐ２３では、インジケータ３４ｃでバーは右端まで移動した状態となり、残り時間欄３４ｂでは、残り時間がゼロとなり、枚数欄３４ａでは、このデータ保存に使用したＣＦカードの枚数が表示されるとともに、メッセージ「データを保存中です」の代わりに、「データ保存が終了しました」といったようなメッセージが表示される。そして、これを確認し、「終了」ボタン３５をクリックすると、図１５（ａ）に示すメニュー画面Ｐ２０が表示され、一連のデータ保存動作が終了する（ステップ５０６）。
【００７５】
次に、バージョンアップされたユーザ用ＨＤＤ１０へのユーザデータのロード作業について、図４，図１４及び図１６を用いて説明する。
【００７６】
上記のようにしてバージョンアップされたユーザ用ＨＤＤ１０（上記のユーザデータがバックアップされたユーザ用ＨＤＤ１０と交換された交換用ＨＤＤも含む）をカーナビシステムにセットし、このカーナビシステムを起動し、入力部１２の入力装置１２ｃを操作してスタートさせると（ステップ５００）、表示装置１７ａに図１６（ａ）に示すメニュー画面Ｐ２０（図１５（ａ）に示すメニュー画面Ｐ２０と同じ）が表示される。バックアップされたユーザデータのロードの場合には、このメニュー画面Ｐ２０でメニュー「ロード」３６をクリックしてこれを選択する（ステップ５０２）。これにより、ユーザデータのユーザ用ＨＤＤへのロード作業をするか否かを問い合わせる図１６（ｂ）に示すようなデータロード画面Ｐ２４が表示装置１７ａで表示される（ステップ５０７）。このデータロード画面Ｐ２４で「いいえ」ボタン３８をクリックすると、図１６（ａ）に示すメニュー画面Ｐ２０に戻るが、「はい」ボタン３７をクリックすると、図１６（ｃ）に示すようなデータ確認画面Ｐ２５が表示装置１７ａに表示される（ステップ５０８）。
【００７７】
このデータ確認画面Ｐ２５では、例えば、「バックアップデータの入ったデバイスを挿入してください。複数枚ある場合は１枚目を入れてください」という指示メッセージが表示され、ユーザデータのバックアップ用のＣＦカードが複数枚からなるときには、この指示に従って１枚目の記録媒体、この場合では、ＣＦカードをカーナビシステムに装着し、なおかつ総枚数欄３９ａで使用するＣＦカードの総枚数を入力すると（この場合、総枚数欄３９ａでは、いくつかの枚数を表わす数値が表示され、そのうちの１つを選択するようにしてもよい）、ＣＰＵ１１ａによってＣＦカードの容量とその総枚数とからユーザデータのロードに要する時間（予定時間）が算出され、データ確認画面Ｐ２５の予想時間欄３９ｂに表示される。
【００７８】
そして、このデータ確認画面Ｐ２５の内容を確認して「次へ」ボタン４０をクリックすると、図１６（ｄ）に示す注意画面Ｐ２６が表示装置１７ａに表示される（ステップ５０９）。この注意画面Ｐ２６は図１５（ｃ）に示す注意画面Ｐ２２と同じであり、その内容を確認して「了解」ボタン４１をクリックすると、図１６（ｅ）に示すようなデータロード画面Ｐ２７が表示装置１７ａに表示される（ステップ５１０）。
【００７９】
このデータロード画面Ｐ２７は、データロード中であることを表わしている以外、その表示内容は図１５（ｄ）に示すデータ保存画面Ｐ２３と同様である。即ち、このデータロード画面Ｐ２７では、ユーザデータのロード中である旨を通知するメッセージとともに、現在までにユーザデータをロードしたＣＦカードの枚数を示す枚数欄４２ａやデータロードの残り時間を示す残り時間欄４２ｂ，ユーザデータのロード作業の進行状況をバーの右方への移動で示すインジケータ４２ｃなどが表示されるが、さらに、ＣＦカードのユーザデータのロード作業が終了して次のＣＦカードからのデータロードが必要な場合には、通知欄４２ｄに、例えば、「デバイスを交換してください」といったような通知メッセージが表示される。そして、これに基づいて次のＣＦカードを交換すると、枚数欄４２ａに表示される使用枚数が１枚増加することになる。このＣＦカードの交換が行なわれているときには、残り時間欄４２ｂやインジケータ４２ｃの表示内容は変化しない。
【００８０】
その後、ＣＦカード内のユーザデータのユーザ用ＨＤＤ１０への転送（ロード）が終了すると、図示しないが、データロード画面Ｐ２７では、インジケータ４２ｃでバーは右端まで移動し終わった状態となり、残り時間欄４２ｂでは、残り時間がゼロとなり、枚数欄４２ａでは、このデータロードに使用したＣＦカードの枚数が表示されるとともに、メッセージ「データをロード中です」の代わりに、「データロードが終了しました」といったようなメッセージが表示される。そして、これを確認し、「終了」ボタン４３をクリックすると、図１６（ａ）に示すメニュー画面Ｐ２０が表示され、一連のデータロード動作が終了する（ステップ５０６）。
【００８１】
以上のように、ユーザ用ＨＤＤ１０は、そのユーザデータを外部記憶装置１５にバックアップしてから、先に説明したナビゲーションデータのバージョンアップを行なうことができるから、かかるバージョンアップの作業の際にユーザデータが破壊されるなどの障害を受けるおそれがなく、バージョンアップしたユーザ用ＨＤＤで継続して使用することができる。
【００８２】
なお、この第２の実施形態では、バージョンアップ用ＨＤＤを交換用ＨＤＤとして用いる場合には、当然のこととして、この交換用ＨＤＤにユーザ用ＨＤＤのユーザデータを転送する必要がないから、図２（ｂ）に示すバージョンアップ作業では、ユーザ用ＨＤＤと交換用ＨＤＤ（即ち、バージヨンアップ用ＨＤＤ）と交換するだけで済むことになり、図７に示すバージョンアップ作業は図２（ａ）に示すダウンロード用ＨＤＤによる作業だけとなる。従って、図７におけるステップ３１３は図１３でのステップ４０１〜４０３及びステップ４０５からなり、ステップ３１４では、図１１（ｃ）に示した確認画面Ｐ１２は表示されない。また、図９〜図１１に示す画面Ｐ５〜Ｐ１２では、「ユーザデータエリア」は表示されないし、また、「転送」ボタン２４ｅも表示されない。
【００８３】
【発明の効果】
以上説明したように、本発明によるナビゲーションデータのバージョンアップ方法，装置によれば、ナビゲーション装置から取り外した使用中のユーザ用ハードディスクドライブと予めバージョンアップされたナビゲーションデータが格納されたバージョンアップ用ハードディスクドライブとの間でデータの転送を行なうことにより、バージョンアップされたナビゲーションデータの新たなユーザ用ハードディスクドライブを作成してナビゲーション装置で要するようにするものであるから、通信手段を必要とせずに、ナビゲーションデータのバージョンアップを行なうことができるし、また、かかるバージョンアップ用ハードディスクドライブを備えた業者などの所に行くだけで、ユーザに手間がかからず、いつでもナビゲーションデータのバージョンアップが可能となる。
【００８４】
また、かかるナビゲーションデータのバージョンアップを行なっても、これまで使用してきたユーザ用ＨＤＤでのユーザデータもそのまま使用することができる。
【００８５】
また、本発明によるナビゲーション装置によると、ユーザ用ＨＤＤのユーザデータを別の外部記憶装置でバックアップしてから、ナビゲーションデータのバージョンアップを行なうものであるから、かかるバージョンアップ作業で誤ってユーザデータに支障を来すような事態が生じても、かかるユーザデータを確保することができ、バージョンアップされた他のナビゲーションデータとともにユーザデータをそのまま使用することができる。
【図面の簡単な説明】
【図１】本発明によるナビゲーションデータのバージョンアップ方式の一実施形態の全体的な処理手順を示すフローチャートである。
【図２】図１のステップ１０４におけるバージョンアップ作業の種類を概略的に示す図である。
【図３】本発明によるバージョンアップ装置の一実施形態を示す構成図である。
【図４】図１に示すナビゲーションデータのバージョンアップ方式を用いる本発明によるナビゲーション装置の第１の実施形態を示すブロック構成図である。
【図５】図１における作業者Ｂによるステップ１０４のバージョンアップ作業の一具体例を示すフローチャートである。
【図６】図５に示すバージョンアップ作業でのバージョン確認画面と更新完了画面との一具体例を示す図である。
【図７】図５におけるステップ２０２〜２０６で示すバージョンアップ作業の一具体例の一連の手順を示すフローチャートである。
【図８】図７のステップ３００〜３０５の作業で表示される画面の一具体例を示す図である。
【図９】図７のステップ３０６〜３０８の作業で表示される画面の一具体例を示す図である。
【図１０】図７のステップ３０９〜３１１の作業で表示される画面の一具体例を示す図である。
【図１１】図７のステップ３１２〜３１４の作業で表示される画面の一具体例を示す図である。
【図１２】図７のステップ３１５の作業で表示される画面の一具体例を示す図である。
【図１３】図７のステップ３１３の作業の一具体例を示すフローチャートである。
【図１４】本発明によるナビゲーション装置の第２の実施形態でのユーザデータのバックアップ作業とデータロード作業を示すフローチャートである。
【図１５】図１４に示すユーザデータのバックアップ作業で表示装置に表示される画面の一具体例を示す図である。
【図１６】図１４に示すユーザデータのロード作業で表示装置に表示される画面の一具体例を示す図である。
【符号の説明】
１　パソコン
１ａ　Ｉ／Ｆコネクタ
２　バージョンアップ装置
３　ユーザ用ＨＤＤ用スロット
４　バージョンアップ用ＨＤＤ用スロット
５，６　アクセスランプ
７，８　イジェクトボタン
１０　ユーザ用ＨＤＤ
１１　制御部
１２　入力部
１３　通信部
１４　音声入出力部
１５　外部記憶装置
１６　ゲートアレイ
１７　表示部
２４　ボタン表示部
２４ａ　予想転送（ダウンロード）時間の表示欄
２４ｂ　「実行」ボタン
２４ｃ〜２４ｆ　転送ボタン
２５　ユーザドライブ表示部
２５ａ　ユーザＩＤの表示欄
２６　バージョンアップドライブ表示部
【図１】
2004053408.tif 000003
【図２】
2004053408.tif 000004
【図３】
2004053408.tif 000005
【図４】
2004053408.tif 000006
【図５】
2004053408.tif 000007
【図６】
2004053408.tif 000008
【図７】
2004053408.tif 000009
【図８】
2004053408.tif 000010
【図９】
2004053408.tif 000011
【図１０】
2004053408.tif 000012
【図１１】
2004053408.tif 000013
【図１２】
2004053408.tif 000014
【図１３】
2004053408.tif 000015
【図１４】
2004053408.tif 000016
【図１５】
2004053408.tif 000017
【図１６】
2004053408.tif 000018